(57)【特許請求の範囲】
【請求項１】
基地局側で実行可能なマルチバンド能力に基づくキャリアアグリゲーション配置方法であって、
ユーザ機器が周波数帯根拠に基づいて、少なくとも２つの周波数帯が備えられ、且つ前記少なくとも２つの周波数帯同士は重なり合った部分があるサービングセルにアクセスするように、前記ユーザ機器が前記サービングセルにアクセスする前記周波数帯根拠を決定することと、
ユーザ機器が前記サービングセルにアクセスする周波数帯根拠の予め設定された物理周波数点での異周波数隣接セルの配置情報、及び前記ユーザ機器でサポートされるキャリアアグリゲーションの組み合わせを取得することと、
前記周波数帯根拠の予め設定された物理周波数点での異周波数隣接セルの配置情報、及び前記ユーザ機器でサポートされるキャリアアグリゲーションの組み合わせに基づいて、前記ユーザ機器に配置されるべきセカンダリキャリアの対象周波数帯を決定することと、
前記ユーザ機器の前記対象周波数帯におけるキャリアアグリゲーション能力に基づいて、対応する再配置メッセージを前記ユーザ機器へ送信し、前記対象周波数帯の前記予め設定された物理周波数点での異周波数隣接セルを、セカンダリサービングセルとすることと、
を含むマルチバンド能力に基づくキャリアアグリゲーション配置方法。
【請求項２】
前記ユーザ機器の前記対象周波数帯におけるキャリアアグリゲーション能力は、前記ユーザ機器が、前記対象周波数帯における帯域内不連続キャリアアグリゲーション、又は帯域内連続キャリアアグリゲーション、又は帯域間キャリアアグリゲーションをサポートすることを含む
請求項１に記載の方法。
【請求項３】
前記ユーザ機器が、前記対象周波数帯における帯域内不連続キャリアアグリゲーション又は帯域内連続キャリアアグリゲーションをサポートすれば、これに応じて、前記ユーザ機器の前記対象周波数帯におけるキャリアアグリゲーション能力に基づいて、対応する再配置メッセージを前記ユーザ機器へ送信し、前記対象周波数帯の前記予め設定された物理周波数点での異周波数隣接セルを、セカンダリサービングセルとすることは、前記ユーザ機器の前記対象周波数帯におけるキャリアアグリゲーション能力に基づいて、前記ユーザ機器に配置されるべきセカンダリキャリアの対象周波数帯と、前記サービングセルの予め設定された物理周波数点が対応する周波数帯根拠のキャリア周波数点番号ＥＡＲＦＣＮを対象周波数帯のＥＡＲＦＣＮに修正する情報と、を含む再配置メッセージを前記ユーザ機器へ送信し、前記対象周波数帯の前記予め設定された物理周波数点での異周波数隣接セルを、セカンダリサービングセルとすること、を含む
請求項２に記載の方法。
【請求項４】
前記ユーザ機器が、前記対象周波数帯における帯域間キャリアアグリゲーションをサポートすれば、これに応じて、前記ユーザ機器の前記対象周波数帯におけるキャリアアグリゲーション能力に基づいて、対応する再配置メッセージを前記ユーザ機器へ送信し、前記対象周波数帯の前記予め設定された物理周波数点での異周波数隣接セルを、セカンダリサービングセルとすることは、
ユーザ機器で帯域間キャリアアグリゲーションがサポートされる、前記予め設定された物理周波数点を含む対象周波数帯である第１の対象周波数帯と、前記予め設定された物理周波数点を含まない対象周波数帯である第２の対象周波数帯と、を取得することと、
前記ユーザ機器に配置されるべきセカンダリキャリアの第１の対象周波数帯と、前記サービングセルの予め設定された物理周波数点が対応する周波数帯根拠のＥＡＲＦＣＮを第１の対象周波数帯のＥＡＲＦＣＮに修正する情報と、を含む再配置メッセージを前記ユーザ機器へ送信し、前記第２の対象周波数帯の前記予め設定された物理周波数点での異周波数隣接セルを、セカンダリサービングセルとすることと、を含む
請求項２に記載の方法。
【請求項５】
前記再配置メッセージには、さらに、対象周波数帯におけるセカンダリキャリア異周波数測定を行う情報が含まれていれば、前記対象周波数帯の前記予め設定された物理周波数点での異周波数隣接セルを、セカンダリサービングセルとすることは、
前記ユーザ機器が前記再配置メッセージに基づいて対象周波数帯におけるセカンダリキャリア異周波数測定を行った測定結果に基づいて、前記対象周波数帯の前記予め設定された物理周波数点での異周波数隣接セルを、セカンダリサービングセルとすること、を含む
請求項３に記載の方法。
【請求項６】
前記再配置メッセージには、さらに、対象周波数帯におけるセカンダリキャリア異周波数測定を行う情報が含まれていれば、前記第２の対象周波数帯の前記予め設定された物理周波数点での異周波数隣接セルを、セカンダリサービングセルとすることは、
前記ユーザ機器が前記再配置メッセージに基づいて対象周波数帯におけるセカンダリキャリア異周波数測定を行った測定結果に基づいて、前記第２の対象周波数帯の前記予め設定された物理周波数点での異周波数隣接セルを、セカンダリサービングセルとすること、を含む
請求項４に記載の方法。
【請求項７】
前記ユーザ機器がサービングセルにアクセスする周波数帯根拠を決定することは、
サービングセルの周波数帯配置情報及び前記ユーザ機器でサポートされる周波数帯情報を取得することと、
前記サービングセルの周波数帯配置情報及び前記ユーザ機器でサポートされる周波数帯情報に基づいて、前記ユーザ機器が前記サービングセルにアクセスする周波数帯根拠を決定することと、を含む
請求項１に記載の方法。
【請求項８】
前記ユーザ機器でサポートされるキャリアアグリゲーションの組み合わせ、及び前記周波数帯根拠の予め設定された物理周波数点での異周波数隣接セルの配置情報に基づいて、前記ユーザ機器に配置されるべきセカンダリキャリアの対象周波数帯を決定することは、
前記ユーザ機器でサポートされるキャリアアグリゲーションの組み合わせ、及び前記周波数帯根拠の予め設定された物理周波数点での異周波数隣接セルの配置情報に基づいて、前記ユーザ機器の、実際にアクセスしていない周波数帯におけるキャリアアグリゲーション能力を決定することと、
前記ユーザ機器の、実際にアクセスしていない周波数帯におけるキャリアアグリゲーション能力に基づいて、前記ユーザ機器に配置されるべきセカンダリキャリアの対象周波数帯を決定することと、を含む
請求項１に記載の方法。
【請求項９】
前記実際にアクセスしていない周波数帯には、キャリアアグリゲーションがサポートされる周波数帯が複数含まれる場合、前記ユーザ機器の、実際にアクセスしていない周波数帯におけるキャリアアグリゲーション能力に基づいて、前記ユーザ機器に配置されるべきセカンダリキャリアの対象周波数帯を決定することは、
前記実際にアクセスしていない周波数帯の優先順位を取得することと、
前記実際にアクセスしていない周波数帯の優先順位、及び前記ユーザ機器の、実際にアクセスしていない周波数帯におけるキャリアアグリゲーション能力に基づいて、前記ユーザ機器に配置されるべきセカンダリキャリアの対象周波数帯を決定することと、を含む
請求項８に記載の方法。
【請求項１０】
ユーザ機器側で実行可能なマルチバンド能力に基づくキャリアアグリゲーション配置方法であって、
基地局で決定した周波数帯根拠に基づいてサービングセルにアクセスすることと、
前記基地局が前記ユーザ機器の対象周波数帯におけるキャリアアグリゲーション能力に基づいて送信した、対応する再配置メッセージを受信することと、
前記ユーザ機器がキャリアアグリゲーションを行うように、前記再配置メッセージに基づく処理を行うことと、
を含み、
前記サービングセルは少なくとも２つの周波数帯が備えられ、且つ前記少なくとも２つの周波数帯同士は重なり合った部分があり、前記対象周波数帯は、前記周波数帯根拠の予め設定された物理周波数点での異周波数隣接セルの配置情報、及び前記ユーザ機器でサポートされるキャリアアグリゲーションの組み合わせに基づいて決定した、前記ユーザ機器に配置されるべきセカンダリキャリアの対象周波数帯であり、前記対象周波数帯の前記予め設定された物理周波数点での異周波数隣接セルは、セカンダリサービングセルとされるマルチバンド能力に基づくキャリアアグリゲーション配置方法。
【請求項１１】
前記ユーザ機器の前記対象周波数帯におけるキャリアアグリゲーション能力は、前記ユーザ機器が、前記対象周波数帯における帯域内不連続キャリアアグリゲーション、又は帯域内連続キャリアアグリゲーション、又は帯域間キャリアアグリゲーションをサポートすることを含む
請求項１０に記載の方法。
【請求項１２】
前記ユーザ機器が、前記対象周波数帯における帯域内不連続キャリアアグリゲーション又は帯域内連続キャリアアグリゲーションをサポートすれば、これに応じて、前記再配置メッセージに基づく処理を行うことは、
前記再配置メッセージに基づいて、サービングセルの予め設定された物理周波数点が対応する周波数帯根拠のキャリア周波数点番号ＥＡＲＦＣＮを対象周波数帯のＥＡＲＦＣＮに修正し、前記対象周波数帯が対応するセカンダリキャリアに対してセカンダリキャリア付加操作を行い、再配置完成メッセージを前記基地局に送信すること、を含み、
前記ユーザ機器が、前記対象周波数帯における帯域間キャリアアグリゲーションをサポートすれば、これに応じて、前記再配置メッセージに基づく処理を行うことは、
帯域間キャリアアグリゲーションがサポートされる、前記予め設定された物理周波数点を含む対象周波数帯である第１の対象周波数帯と、前記予め設定された物理周波数点を含まない対象周波数帯である第２の対象周波数帯と、を報告することと、
前記再配置メッセージに基づいて、サービングセルの予め設定された物理周波数点が対応する周波数帯根拠のＥＡＲＦＣＮを、第１の対象周波数帯のＥＡＲＦＣＮに修正し、前記第１の対象周波数帯が対応するセカンダリキャリアに対してセカンダリキャリア付加操作を行い、再配置完成メッセージを前記基地局に送信することと、を含む
請求項１１に記載の方法。
【請求項１３】
前記再配置メッセージに基づく処理を行うことは、さらに、
対象周波数帯におけるセカンダリキャリア異周波数測定を行い、測定結果を前記基地局に送信すること、を含む
請求項１２に記載の方法。
【請求項１４】
ユーザ機器が周波数帯根拠に基づいて、少なくとも２つの周波数帯が備えられ、且つ前記少なくとも２つの周波数帯同士は重なり合った部分があるサービングセルにアクセスするように、前記ユーザ機器が前記サービングセルにアクセスする前記周波数帯根拠を決定する第１の決定モジュールと、
ユーザ機器が前記サービングセルにアクセスする周波数帯根拠の予め設定された物理周波数点での異周波数隣接セルの配置情報、及び前記ユーザ機器でサポートされるキャリアアグリゲーションの組み合わせを取得する取得モジュールと、
前記周波数帯根拠の予め設定された物理周波数点での異周波数隣接セルの配置情報、及び前記ユーザ機器でサポートされるキャリアアグリゲーションの組み合わせに基づいて、前記ユーザ機器に配置されるべきセカンダリキャリアの対象周波数帯を決定する第２の決定モジュールと、
前記ユーザ機器の前記対象周波数帯におけるキャリアアグリゲーション能力に基づいて、対応する再配置メッセージを前記ユーザ機器へ送信し、前記対象周波数帯の前記予め設定された物理周波数点での異周波数隣接セルを、セカンダリサービングセルとする第１の処理モジュールと、
を備えるマルチバンド能力に基づくキャリアアグリゲーション配置装置。
【請求項１５】
基地局で決定した周波数帯根拠に基づいてサービングセルにアクセスするアクセスモジュールと、
前記基地局がユーザ機器の対象周波数帯におけるキャリアアグリゲーション能力に基づいて送信した、対応する再配置メッセージを受信する受信モジュールと、
前記ユーザ機器がキャリアアグリゲーションを行うように、前記再配置メッセージに基づく処理を行う第２の処理モジュールと、
を備え、
前記サービングセルは少なくとも２つの周波数帯が備えられ、且つ前記少なくとも２つの周波数帯同士は重なり合った部分があり、前記対象周波数帯は、前記周波数帯根拠の予め設定された物理周波数点での異周波数隣接セルの配置情報、及び前記ユーザ機器でサポートされるキャリアアグリゲーションの組み合わせに基づいて決定した、前記ユーザ機器に配置されるべきセカンダリキャリアの対象周波数帯であり、前記対象周波数帯の前記予め設定された物理周波数点での異周波数隣接セルは、セカンダリサービングセルとされるマルチバンド能力に基づくキャリアアグリゲーション配置装置。
【発明の詳細な説明】
【技術分野】
【０００１】
本出願は、無線通信分野に関し、例えば、マルチバンド能力に基づくキャリアアグリゲーション配置方法及び装置に関する。
【背景技術】
【０００２】
国際電気通信連合（International Telecommunications Union、ＩＴＵ）によって、次世代の移動通信システム、即ち、国際移動通信アドバンスト（International Mobile Telecommunications-Advanced、ＩＭＴ−Ａ）は、その性能が非常に厳しく要求され、例えば、最大のシステム伝送帯域幅が、１００メガヘルツ（ＭＨｚ）に達し、上り下りデータ伝送のピークレートが、１ギガビット（Ｇｂｐｓ）及び５００メガビット（Ｍｂｐｓ）に達する必要がある。また、システムの平均スペクトル効率、特にエッジスペクトル効率に対するニーズも、非常に高いものである。ロング・ターム・エボリューション（Long Term Evolution、ＬＴＥ）現有基準との互換性、標準化作業の複雑さの低下、及び応用場面への柔軟な適応をよりよく図るために、第３世代パートナシッププロジェクト（The 3rd Generation Partnership Project、３ＧＰＰ）には、キャリアアグリゲーション（Carrier Aggregation、ＣＡ）技術が導入され、複数のメンバーをキャリア集約することで、より大きい帯域幅を実現する。
【０００３】
キャリアアグリゲーション機能は、次世代移動セルラ通信システム、即ちロング・ターム・エボリューション・アドバンスト（Long Term Evolution Advanced、ＬＴＥ−Ａ）システムのより大きい帯域幅ニーズに応えることができるとともに、ＬＴＥシステムへの後方互換性を保つ必須な技術である。現在、ＬＴＥシステムでサポートされる最大の帯域幅が２０ＭＨｚであるが、ＬＴＥ−Ａシステムは、キャリアアグリゲーション機能により、最大の伝送帯域幅を１００ＭＨｚまで拡大している。
【０００４】
キャリアアグリゲーションとは、進化型ノード（Evolved Node B、ｅＮＢ）が２つ以上のキャリア（多くとも５つのキャリア）を集約して、無線リソース制御（Radio Resource Control、ＲＲＣ）再配置メッセージによりユーザ機器（User Equipment、ＵＥ）に配信し、これにより、ＵＥが、集約したキャリアを用いてサービス伝送を行うことができるようになることを意味する。ＵＥとＲＲＣ接続を持つキャリアは、プライマリキャリア（Primary carrier component、ＰＣＣ）と呼ばれ、対応するセルはプライマリセル（Primary Cell、Ｐｃｅｌｌ）と呼ばれる。また、プライマリキャリア以外のキャリアはセカンダリキャリア（Secondary carrier component、ＳＣＣ）と呼ばれ、対応するセルはセカンダリセル（Secondary Cell、Ｓｃｅｌｌ）と呼ばれる。同時に、キャリアアグリゲーションには、帯域内連続キャリアアグリゲーション、帯域内不連続キャリアアグリゲーション、帯域間キャリアアグリゲーションという３つの場面が含まれる。
【０００５】
３ＧＰＰが進化している中、だんだんＬＴＥシステムに応用されていくスペクトルリソースがますます多くなっているため、ＬＴＥの異なるバンド範囲において周波数が重なり合うようになり、即ち、同一の物理周波数が複数のバンド指示に対応している。ＵＥのキャリアアグリゲーション能力が、バンドに密に関わっており、且つ重なり合ったバンドでも、ＵＥは、このバンドにおけるキャリアアグリゲーションをサポートする能力がなければ、キャリアアグリゲーション操作を行うことができないため、実際の物理周波数点で実行可能なキャリアアグリゲーションにしても、基地局側においてセルの周波数帯又は隣接セルの配置が制限され、或いは、ＵＥでサポートされるキャリアアグリゲーション能力が制限されることに起因して、ＵＥのサービススループットを高めることができず、システム性能を向上させることもできないため、ユーザ体験が悪化する。
【発明の概要】
【発明が解決しようとする課題】
【０００６】
本発明の実施例は、スペクトルリソースを充分かつ効果的に利用し、ユーザデータサービススループットを高め、システム性能を向上させ、ＬＴＥシステムにおけるユーザのサービス体験を強化することができる、マルチバンド能力に基づくキャリアアグリゲーション配置方法及び装置を提供する。
【課題を解決するための手段】
【０００７】
上記課題を解決するために、本発明の実施例は、以下の構成となる。
【０００８】
本発明の実施例によれば、
ユーザ機器が周波数帯根拠に基づいて、少なくとも２つの周波数帯が備えられ、且つ前記少なくとも２つの周波数帯同士は重なり合った部分があるサービングセルにアクセスするように、前記ユーザ機器が前記サービングセルにアクセスする前記周波数帯根拠を決定することと、
ユーザ機器が前記サービングセルにアクセスする周波数帯根拠の予め設定された物理周波数点での異周波数隣接セルの配置情報、及び前記ユーザ機器でサポートされるキャリアアグリゲーションの組み合わせを取得することと、
前記周波数帯根拠の予め設定された物理周波数点での異周波数隣接セルの配置情報、及び前記ユーザ機器でサポートされるキャリアアグリゲーションの組み合わせに基づいて、前記ユーザ機器に配置されるべきセカンダリキャリアの対象周波数帯を決定することと、
前記ユーザ機器の前記対象周波数帯におけるキャリアアグリゲーション能力に基づいて、対応する再配置メッセージを前記ユーザ機器へ送信し、前記対象周波数帯の前記予め設定された物理周波数点での異周波数隣接セルを、セカンダリサービングセルとすることと、
を含むマルチバンド能力に基づくキャリアアグリゲーション配置方法が提供される。
【０００９】
前記ユーザ機器の前記対象周波数帯におけるキャリアアグリゲーション能力は、前記ユーザ機器が、前記対象周波数帯における帯域内不連続キャリアアグリゲーション、又は帯域内連続キャリアアグリゲーション、又は帯域間キャリアアグリゲーションをサポートすることを含む。
【００１０】
前記ユーザ機器が、前記対象周波数帯における帯域内不連続キャリアアグリゲーション又は帯域内連続キャリアアグリゲーションをサポートすれば、これに応じて、前記ユーザ機器の前記対象周波数帯におけるキャリアアグリゲーション能力に基づいて、対応する再配置メッセージを前記ユーザ機器へ送信し、前記対象周波数帯の前記予め設定された物理周波数点での異周波数隣接セルを、セカンダリサービングセルとすることは、具体的には、
前記ユーザ機器の前記対象周波数帯におけるキャリアアグリゲーション能力に基づいて、前記ユーザ機器に配置されるべきセカンダリキャリアの対象周波数帯と、前記サービングセルの予め設定された物理周波数点が対応する周波数帯根拠のキャリア周波数点番号ＥＡＲＦＣＮを対象周波数帯のＥＡＲＦＣＮに修正する情報と、を含む再配置メッセージを前記ユーザ機器へ送信し、前記対象周波数帯の前記予め設定された物理周波数点での異周波数隣接セルを、セカンダリサービングセルとすることである。
【００１１】
前記ユーザ機器が、前記対象周波数帯における帯域間キャリアアグリゲーションをサポートすれば、これに応じて、前記ユーザ機器の前記対象周波数帯におけるキャリアアグリゲーション能力に基づいて、対応する再配置メッセージを前記ユーザ機器へ送信し、前記対象周波数帯の前記予め設定された物理周波数点での異周波数隣接セルを、セカンダリサービングセルとすることは、具体的には、
ユーザ機器で帯域間キャリアアグリゲーションがサポートされる、前記予め設定された物理周波数点を含む対象周波数帯である第１の対象周波数帯と、前記予め設定された物理周波数点を含まない対象周波数帯である第２の対象周波数帯と、を取得することと、
前記ユーザ機器に配置されるべきセカンダリキャリアの第１の対象周波数帯と、前記サービングセルの予め設定された物理周波数点が対応する周波数帯根拠のＥＡＲＦＣＮを第１の対象周波数帯のＥＡＲＦＣＮに修正する情報と、を含む再配置メッセージを前記ユーザ機器へ送信し、前記第２の対象周波数帯の前記予め設定された物理周波数点での異周波数隣接セルを、セカンダリサービングセルとすることと、を含む。
【００１２】
前記再配置メッセージには、さらに、対象周波数帯におけるセカンダリキャリア異周波数測定を行う情報が含まれていれば、前記対象周波数帯の前記予め設定された物理周波数点での異周波数隣接セルを、セカンダリサービングセルとすることは、具体的には、
前記ユーザ機器が前記再配置メッセージに基づいて対象周波数帯におけるセカンダリキャリア異周波数測定を行った測定結果に基づいて、前記対象周波数帯の前記予め設定された物理周波数点での異周波数隣接セルを、セカンダリサービングセルとすることである。
【００１３】
前記再配置メッセージには、さらに、対象周波数帯におけるセカンダリキャリア異周波数測定を行う情報が含まれていれば、前記第２の対象周波数帯の前記予め設定された物理周波数点での異周波数隣接セルを、セカンダリサービングセルとすることは、具体的には、
前記ユーザ機器が前記再配置メッセージに基づいて対象周波数帯におけるセカンダリキャリア異周波数測定を行った測定結果に基づいて、前記第２の対象周波数帯の前記予め設定された物理周波数点での異周波数隣接セルを、セカンダリサービングセルとすることである。
【００１４】
前記ユーザ機器がサービングセルにアクセスする周波数帯根拠を決定することは、具体的には、
サービングセルの周波数帯配置情報及び前記ユーザ機器でサポートされる周波数帯情報を取得することと、
前記サービングセルの周波数帯配置情報及び前記ユーザ機器でサポートされる周波数帯情報に基づいて、前記ユーザ機器が前記サービングセルにアクセスする周波数帯根拠を決定することと、を含む。
【００１５】
前記ユーザ機器でサポートされるキャリアアグリゲーションの組み合わせ、及び前記周波数帯根拠の予め設定された物理周波数点での異周波数隣接セルの配置情報に基づいて、前記ユーザ機器に配置されるべきセカンダリキャリアの対象周波数帯を決定することは、具体的には、
前記ユーザ機器でサポートされるキャリアアグリゲーションの組み合わせ、及び前記周波数帯根拠の予め設定された物理周波数点での異周波数隣接セルの配置情報に基づいて、前記ユーザ機器の、実際にアクセスしていない周波数帯におけるキャリアアグリゲーション能力を決定することと、前記ユーザ機器の、実際にアクセスしていない周波数帯におけるキャリアアグリゲーション能力に基づいて、前記ユーザ機器に配置されるべきセカンダリキャリアの対象周波数帯を決定することと、を含む。
【００１６】
前記実際にアクセスしていない周波数帯には、キャリアアグリゲーションがサポートされる周波数帯が複数含まれる場合、前記ユーザ機器の、実際にアクセスしていない周波数帯におけるキャリアアグリゲーション能力に基づいて、前記ユーザ機器に配置されるべきセカンダリキャリアの対象周波数帯を決定することは、具体的には、
前記実際にアクセスしていない周波数帯の優先順位を取得することと、
前記実際にアクセスしていない周波数帯の優先順位、及び前記ユーザ機器の、実際にアクセスしていない周波数帯におけるキャリアアグリゲーション能力に基づいて、前記ユーザ機器に配置されるべきセカンダリキャリアの対象周波数帯を決定することと、を含む。
【００１７】
再配置メッセージを前記ユーザ機器へ送信することは、具体的には、
再配置メッセージを無線リソース制御シグナリングにより前記ユーザ機器へ送信することである。
【００１８】
本発明の実施例によれば、さらに、
ユーザ機器側で実行可能なマルチバンド能力に基づくキャリアアグリゲーション配置方法であって、
基地局で決定した周波数帯根拠に基づいてサービングセルにアクセスすることと、
前記基地局が前記ユーザ機器の前記対象周波数帯におけるキャリアアグリゲーション能力に基づいて送信した、対応する再配置メッセージを受信することと、
前記ユーザ機器がキャリアアグリゲーションを行うように、前記再配置メッセージに基づく処理を行うことと、
を含むマルチバンド能力に基づくキャリアアグリゲーション配置方法が提供される。
【００１９】
前記ユーザ機器の前記対象周波数帯におけるキャリアアグリゲーション能力は、前記ユーザ機器が、前記対象周波数帯における帯域内不連続キャリアアグリゲーション、又は帯域内連続キャリアアグリゲーション、又は帯域間キャリアアグリゲーションをサポートすることを含む。
【００２０】
前記ユーザ機器が、前記対象周波数帯における帯域内不連続キャリアアグリゲーション又は帯域内連続キャリアアグリゲーションをサポートすれば、これに応じて、前記再配置メッセージに基づく処理を行うことは、具体的には、
前記再配置メッセージに基づいて、サービングセルの予め設定された物理周波数点が対応する周波数帯根拠のキャリア周波数点番号ＥＡＲＦＣＮを対象周波数帯のＥＡＲＦＣＮに修正し、前記対象周波数帯が対応するセカンダリキャリアに対してセカンダリキャリア付加操作を行い、再配置完成メッセージを前記基地局に送信することである。
【００２１】
前記ユーザ機器が、前記対象周波数帯における帯域間キャリアアグリゲーションをサポートすれば、これに応じて、前記再配置メッセージに基づく処理を行うことは、具体的には、
帯域間キャリアアグリゲーションがサポートされる、前記予め設定された物理周波数点を含む対象周波数帯である第１の対象周波数帯と、前記予め設定された物理周波数点を含まない対象周波数帯である第２の対象周波数帯と、を報告することと、
前記再配置メッセージに基づいて、サービングセルの予め設定された物理周波数点が対応する周波数帯根拠のＥＡＲＦＣＮを、第１の対象周波数帯のＥＡＲＦＣＮに修正し、前記第１の対象周波数帯が対応するセカンダリキャリアに対してセカンダリキャリア付加操作を行い、再配置完成メッセージを前記基地局に送信することと、を含む。
【００２２】
前記再配置メッセージに基づく処理を行うことは、さらに、
対象周波数帯のセカンダリキャリア異周波数測定を行い、測定結果を前記基地局に送信すること、を含む。
【００２３】
本発明の実施例によれば、さらに、
ユーザ機器が周波数帯根拠に基づいて、少なくとも２つの周波数帯が備えられ、且つ前記少なくとも２つの周波数帯同士は重なり合った部分があるサービングセルにアクセスするように、前記ユーザ機器が前記サービングセルにアクセスする前記周波数帯根拠を決定する第１の決定モジュールと、
ユーザ機器が前記サービングセルにアクセスする周波数帯根拠の予め設定された物理周波数点での異周波数隣接セルの配置情報、及び前記ユーザ機器でサポートされるキャリアアグリゲーションの組み合わせを取得する取得モジュールと、
前記周波数帯根拠の予め設定された物理周波数点での異周波数隣接セルの配置情報、及び前記ユーザ機器でサポートされるキャリアアグリゲーションの組み合わせに基づいて、前記ユーザ機器に配置されるべきセカンダリキャリアの対象周波数帯を決定する第２の決定モジュールと、
前記ユーザ機器の前記対象周波数帯におけるキャリアアグリゲーション能力に基づいて、対応する再配置メッセージを前記ユーザ機器へ送信し、前記対象周波数帯の前記予め設定された物理周波数点での異周波数隣接セルを、セカンダリサービングセルとする第１の処理モジュールと、
を備えるマルチバンド能力に基づくキャリアアグリゲーション配置装置が提供される。
【００２４】
本発明の実施例によれば、さらに、
基地局で決定した周波数帯根拠に基づいてサービングセルにアクセスするアクセスモジュールと、
前記基地局が前記ユーザ機器の前記対象周波数帯におけるキャリアアグリゲーション能力に基づいて送信した、対応する再配置メッセージを受信する受信モジュールと、
前記ユーザ機器がキャリアアグリゲーションを行うように、前記再配置メッセージに基づく処理を行う第２の処理モジュールと、
を備えるマルチバンド能力に基づくキャリアアグリゲーション配置装置が提供される。
【発明の効果】
【００２５】
本発明の実施例の有益な効果は、以下のとおりである。
【００２６】
本発明の実施例に係わるマルチバンド能力に基づくキャリアアグリゲーション配置方法は、基地局側に配置されるマルチバンド情報やＵＥのキャリアアグリゲーション能力情報を総合的に勘案して、ＵＥに配置されるべきセカンダリキャリアの対象周波数帯を決定し、さらに、対象周波数帯におけるキャリアアグリゲーションを実現する。本発明の実施例に係わるマルチバンド能力に基づくキャリアアグリゲーション配置方法によれば、基地局側においてセルの周波数帯又は隣接セルの配置が制限され、或いは、ＵＥでサポートされるキャリアアグリゲーション能力が制限されることに起因して、ＵＥのキャリアアグリゲーション機能が影響されてしまうことを効果的に回避し、キャリアアグリゲーション機能の使用範囲を大幅に拡大し、システムのスペクトル効率を効果的に向上させ、ユーザサービスのサービス体験を強化する。
【図面の簡単な説明】
【００２７】
【図１】本発明の実施例に係わる、基地局側に応用されるマルチバンド能力に基づくキャリアアグリゲーション配置方法を示すフローチャートである。
【図２】本発明の実施例に係わる、ＵＥ側に応用されるマルチバンド能力に基づくキャリアアグリゲーション配置方法を示すフローチャートである。
【図３】本発明の実施例に係わる、基地局側に応用されるマルチバンド能力に基づくキャリアアグリゲーション配置装置の構造を示すブロック図である。
【図４】本発明の実施例に係わる第１の処理モジュールの構造を示すブロック図である。
【図５】本発明の実施例に係わる第１の決定モジュールの構造を示すブロック図である。
【図６】本発明の実施例に係わる第２の決定モジュールの構造を示すブロック図である。
【図７】本発明の実施例に係わる、ＵＥ側に応用されるマルチバンド能力に基づくキャリアアグリゲーション配置装置の構造を示すブロック図である。
【図８】本発明の実施例に係わる第２の処理モジュールの構造を示すブロック図である。
【発明を実施するための形態】
【００２８】
以下、図面を参照しながら本開示の例示的な実施例をより詳しく説明する。図面において本開示の例示的な実施例が示されているが、しかし、本開示は、様々な形で実現されることができ、ここで説明する実施例に制限されないことは、理解されることができる。逆に、これらの実施例を提供するのは、本開示をよりよく理解させてもらうことができるとともに、本開示の範囲を完全に当業者に伝えることができるようにするためである。
【００２９】
本発明の実施例において、マルチバンド能力に基づくキャリアアグリゲーション配置方法が提供され、この方法は、例えば、基地局側で実行されることができる。図１に示されるように、この方法は、以下のステップＳ１１〜ステップＳ１７を含む。
【００３０】
ステップＳ１１：ユーザ機器が、周波数帯根拠に基づいてサービングセルにアクセスするように、前記ユーザ機器が前記サービングセルにアクセスする前記周波数帯根拠を決定する。
【００３１】
前記サービングセルは少なくとも２つの周波数帯が備えられ、且つ前記少なくとも２つの周波数帯同士は重なり合った部分がある。周波数帯根拠とは、ユーザ機器がサービングセルにアクセスする周波数帯である。例えば、ユーザ機器が周波数帯（ｂａｎｄ）３８（即ち、2570MHz-2620MHz）にてサービングセルにアクセスすれば、ｂａｎｄ  ３８は、ユーザ機器がサービングセルにアクセスする周波数帯根拠となる。
【００３２】
ステップＳ１１は、具体的には、
サービングセルの周波数帯配置情報及び前記ユーザ機器でサポートされる周波数帯情報を取得することと、
前記サービングセルの周波数帯配置情報及び前記ユーザ機器でサポートされる周波数帯情報に基づいて、前記ユーザ機器が前記サービングセルにアクセスする周波数帯根拠を決定することと、を含んでもよい。
【００３３】
例を挙げると、基地局側でのサービングセルの周波数帯配置情報は、サービングセルでは、主周波数帯がｂａｎｄ  ３８で、補助周波数帯がｂａｎｄ  ４１（即ち、2496MHz-2690MHz）であるように、マルチバンド指示配置がサポートされることであり、且つユーザ機器でサポートされる周波数帯がｂａｎｄ  ３８及びｂａｎｄ  ４１であるとすれば、ユーザ機器の周波数帯根拠を判断する際に、基地局側でのサービングセルの周波数帯配置順位に基づいて判断し、即ち、この例において、まずユーザ機器がｂａｎｄ  ３８をサポートするか否かを判断し、ユーザ機器がｂａｎｄ  ３８をサポートしければ、続いてユーザ機器がｂａｎｄ  ４１をサポートするか否かを判断することから、この例において、ユーザ機器の周波数帯根拠がｂａｎｄ  ３８であり、即ち、ユーザ機器がｂａｎｄ  ３８にてサービングセルにアクセスすることが分かる。
【００３４】
ステップＳ１３：ユーザ機器が前記サービングセルにアクセスする周波数帯根拠の予め設定された物理周波数点での異周波数隣接セルの配置情報、及び前記ユーザ機器でサポートされるキャリアアグリゲーションの組み合わせを取得する。
【００３５】
ステップＳ１５：前記周波数帯根拠の予め設定された物理周波数点での異周波数隣接セルの配置情報、及び前記ユーザ機器でサポートされるキャリアアグリゲーションの組み合わせに基づいて、前記ユーザ機器に配置されるべきセカンダリキャリアの対象周波数帯を決定する。
【００３６】
ステップＳ１５は、具体的には、
前記ユーザ機器でサポートされるキャリアアグリゲーションの組み合わせ、及び前記周波数帯根拠の予め設定された物理周波数点での異周波数隣接セルの配置情報に基づいて、前記ユーザ機器の、実際にアクセスしていない周波数帯におけるキャリアアグリゲーション能力を決定することと、前記ユーザ機器の、実際にアクセスしていない周波数帯におけるキャリアアグリゲーション能力に基づいて、前記ユーザ機器に配置されるべきセカンダリキャリアの対象周波数帯を決定することと、を含んでもよい。
【００３７】
予め設定された物理周波数点とは、予め設定されたサービングセルの物理周波数点である。
【００３８】
例を挙げると、サービングセルでサポートされるマルチバンド指示配置は、主周波数帯がｂａｎｄ  ３８で、補助周波数帯がｂａｎｄ  ４１であり、且つ基地局側で決定した周波数帯根拠がｂａｎｄ  ３８で、予め設定された物理周波数点が２６００ＭＨｚであるということであり、そして、周波数帯根拠の予め設定された物理周波数点での異周波数隣接セルの配置情報は、サービングセルにｂａｎｄ  ３８の異周波数隣接セルが無いということであり、また、ユーザ機器でサポートされるキャリアアグリゲーションの組み合わせは、ｂａｎｄ  ３８の帯域内不連続キャリアアグリゲーション、及びｂａｎｄ  ４１の帯域内不連続キャリアアグリゲーションであるとすれば、ＵＥは、主周波数帯ｂａｎｄ  ３８のキャリアアグリゲーションを行うことができず、補助周波数帯ｂａｎｄ  ４１の帯域内連続キャリアアグリゲーションのみを行うことができることから、ユーザ機器では補助周波数帯ｂａｎｄ  ４１の帯域内連続キャリアアグリゲーションがサポートされるという旨の、ユーザ機器の、実際にアクセスしていない周波数帯におけるキャリアアグリゲーション能力を取得することができ、さらに、ユーザ機器に配置されるべきセカンダリキャリアの対象周波数帯がｂａｎｄ  ４１であることが分かる。
【００３９】
前記実際にアクセスしていない周波数帯には、キャリアアグリゲーションがサポートされる周波数帯が複数含まれる場合、前記ユーザ機器の、実際にアクセスしていない周波数帯におけるキャリアアグリゲーション能力に基づいて、前記ユーザ機器に配置されるべきセカンダリキャリアの対象周波数帯を決定することは、具体的には、
前記実際にアクセスしていない周波数帯の優先順位を取得することと、
前記実際にアクセスしていない周波数帯の優先順位、及び前記ユーザ機器の、実際にアクセスしていない周波数帯におけるキャリアアグリゲーション能力に基づいて、前記ユーザ機器に配置されるべきセカンダリキャリアの対象周波数帯を決定することと、を含んでもよい。
【００４０】
このように、例えば、ユーザ機器が、ｂａｎｄ  ４１の帯域内不連続キャリアアグリゲーション、及びｂａｎｄ  ６０の帯域内不連続キャリアアグリゲーションを同時にサポートすれば、優先度を付けて、優先度が高い周波数帯を対象周波数帯として決定することができる。
【００４１】
ステップＳ１７：前記ユーザ機器の前記対象周波数帯におけるキャリアアグリゲーション能力に基づいて、対応する再配置メッセージを前記ユーザ機器へ送信し、前記対象周波数帯の前記予め設定された物理周波数点での異周波数隣接セルを、セカンダリサービングセルとする。
【００４２】
前記ユーザ機器の前記対象周波数帯におけるキャリアアグリゲーション能力は、前記ユーザ機器が、前記対象周波数帯における帯域内不連続キャリアアグリゲーション、又は帯域内連続キャリアアグリゲーション、又は帯域間キャリアアグリゲーションをサポートすることを含む。
【００４３】
前記ユーザ機器が、前記対象周波数帯における帯域内不連続キャリアアグリゲーション又は帯域内連続キャリアアグリゲーションをサポートすれば、これに応じて、ステップＳ１７は、具体的には、
前記ユーザ機器の前記対象周波数帯におけるキャリアアグリゲーション能力に基づいて、前記ユーザ機器に配置されるべきセカンダリキャリアの対象周波数帯と、前記サービングセルの予め設定された物理周波数点が対応する周波数帯根拠のＥＡＲＦＣＮ（E-UTRA Absolute Radio Frequency Channel Number、E-UTRA絶対周波数チャネル番号）を対象周波数帯のＥＡＲＦＣＮに修正する情報と、を含む再配置メッセージを前記ユーザ機器へ送信し、前記対象周波数帯の前記予め設定された物理周波数点での異周波数隣接セルを、セカンダリサービングセルとすることであってもよい。例を挙げると、対象周波数帯がｂａｎｄ  ４１であり、且つユーザ機器がｂａｎｄ  ４１の帯域内不連続キャリアアグリゲーション又は帯域内連続キャリアアグリゲーションをサポートし、予め設定された物理周波数点が２６００ＭＨｚであるとすれば、基地局側からユーザ機器へ再配置メッセージを送信するとともに、直接、ｂａｎｄ  ４１の異周波数隣接セルをセカンダリサービングセルとして付加する必要があり、且つこの再配置メッセージには、ユーザ機器がｂａｎｄ  ４１のセカンダリキャリア付加操作を行う必要がある情報と、サービングセルの物理周波数点２６００ＭＨｚが対応するｂａｎｄ  ３８のＥＡＲＦＣＮの値である３８０５０を、ｂａｎｄ  ４１のＥＡＲＦＣＮの値である４０６９０に修正する情報とが含まれている。
【００４４】
前記再配置メッセージには、さらに、対象周波数帯におけるセカンダリキャリア異周波数測定を行う情報が含まれていれば、前記対象周波数帯の前記予め設定された物理周波数点での異周波数隣接セルを、セカンダリサービングセルとすることは、具体的には、
前記ユーザ機器が前記再配置メッセージに基づいて対象周波数帯におけるセカンダリキャリア異周波数測定を行った測定結果に基づいて、前記対象周波数帯の前記予め設定された物理周波数点での異周波数隣接セルを、セカンダリサービングセルとすることであってもよい。
【００４５】
このように、本発明の実施例に係わるマルチバンド能力に基づくキャリアアグリゲーション配置方法において、基地局側では、対象周波数帯におけるセカンダリキャリア異周波数測定結果に基づいて、対象周波数帯の前記予め設定された物理周波数点での異周波数隣接セルを、セカンダリサービングセルとすることができるし、直接、対象周波数帯の前記予め設定された物理周波数点での異周波数隣接セルを、セカンダリサービングセルとすることもできる。
【００４６】
前記ユーザ機器が、前記対象周波数帯における帯域間キャリアアグリゲーションをサポートすれば、これに応じて、ステップＳ１７は、具体的には、
ユーザ機器で帯域間キャリアアグリゲーションがサポートされる、前記予め設定された物理周波数点を含む対象周波数帯である第１の対象周波数帯と、前記予め設定された物理周波数点を含まない対象周波数帯である第２の対象周波数帯と、を取得することと、
前記ユーザ機器に配置されるべきセカンダリキャリアの第１の対象周波数帯と、前記サービングセルの予め設定された物理周波数点が対応する周波数帯根拠のＥＡＲＦＣＮを第１の対象周波数帯のＥＡＲＦＣＮに修正する情報と、を含む再配置メッセージを前記ユーザ機器へ送信し、前記第２の対象周波数帯の前記予め設定された物理周波数点での異周波数隣接セルを、セカンダリサービングセルとすることと、を含んでもよい。
【００４７】
例を挙げると、ユーザ機器が、ｂａｎｄ  ４１とｂａｎｄ  １（即ち、上り1920MHz-1980MHz、下り2110MHz-2170MHz）の帯域間キャリアアグリゲーションをサポートし、予め設定された物理周波数点が２６００ＭＨｚであり、且つ２６００ＭＨｚがｂａｎｄ  １のものではなく、ｂａｎｄ  ４１のものであるとすれば、第１の対象周波数帯がｂａｎｄ  ４１であり、第２の対象周波数帯がｂａｎｄ  １であり、この場合、基地局側からユーザ機器へ再配置メッセージを送信するとともに、直接、ｂａｎｄ  １の異周波数隣接セルをセカンダリサービングセルとして付加する必要があり、且つこの再配置メッセージには、ユーザ機器がｂａｎｄ  ４１のセカンダリキャリア付加操作を行う必要がある情報と、サービングセルの物理周波数点２６００ＭＨｚが対応するｂａｎｄ  ３８のＥＡＲＦＣＮの値である３８０５０を、ｂａｎｄ  ４１のＥＡＲＦＣＮの値である４０６９０に修正する情報とが含まれている。
【００４８】
前記再配置メッセージには、さらに、対象周波数帯におけるセカンダリキャリア異周波数測定を行う情報が含まれていれば、前記第２の対象周波数帯の前記予め設定された物理周波数点での異周波数隣接セルを、セカンダリサービングセルとすることは、具体的には、
前記ユーザ機器が前記再配置メッセージに基づいて対象周波数帯におけるセカンダリキャリア異周波数測定を行った測定結果に基づいて、前記第２の対象周波数帯の前記予め設定された物理周波数点での異周波数隣接セルを、セカンダリサービングセルとすることであってもよい。
【００４９】
このように、本発明の実施例に係わるマルチバンド能力に基づくキャリアアグリゲーション配置方法において、基地局側では、対象周波数帯におけるセカンダリキャリア異周波数測定結果に基づいて、第２の対象周波数帯の前記予め設定された物理周波数点での異周波数隣接セルを、セカンダリサービングセルとすることができるし、直接、第２の対象周波数帯の前記予め設定された物理周波数点での異周波数隣接セルを、セカンダリサービングセルとすることもできる。
【００５０】
再配置メッセージを前記ユーザ機器へ送信することは、具体的には、
再配置メッセージを無線リソース制御シグナリングにより前記ユーザ機器へ送信することであってもよい。
【００５１】
もちろん、本発明の実施例に係わるマルチバンド能力に基づくキャリアアグリゲーション配置方法において、基地局側からユーザ機器へ再配置メッセージを送信する具体的な方式が具体的に限定されていないのは、理解されることができる。
【００５２】
本発明の実施例において、マルチバンド能力に基づくキャリアアグリゲーション配置方法がさらに提供され、この方法は、例えば、ユーザ機器側で実行されることができる。図２に示されるように、この方法は、以下のステップＳ２１〜ステップＳ２５を含む。
【００５３】
ステップＳ２１：基地局で決定した周波数帯根拠に基づいてサービングセルにアクセスする。
【００５４】
周波数帯根拠とは、ユーザ機器がサービングセルにアクセスする周波数帯である。基地局側で周波数帯を決定した後、ブロードキャストメッセージにおいてこの周波数帯が常にブロードキャストされるため、ユーザ機器はブロードキャストメッセージにより周波数帯根拠を決定し、周波数帯根拠に基づいてサービングセルにアクセスすることができる。
【００５５】
ステップＳ２３：前記基地局が前記ユーザ機器の前記対象周波数帯におけるキャリアアグリゲーション能力に基づいて送信した、対応する再配置メッセージを受信する。
【００５６】
前記ユーザ機器の前記対象周波数帯におけるキャリアアグリゲーション能力は、前記ユーザ機器が、前記対象周波数帯における帯域内不連続キャリアアグリゲーション、又は帯域内連続キャリアアグリゲーション、又は帯域間キャリアアグリゲーションをサポートすることを含む。
【００５７】
ステップＳ２５：前記ユーザ機器がキャリアアグリゲーションを行うように、前記再配置メッセージに基づく処理を行う。前記ユーザ機器が、前記対象周波数帯における帯域内不連続キャリアアグリゲーション又は帯域内連続キャリアアグリゲーションをサポートすれば、ステップＳ２５は、具体的には、
前記再配置メッセージに基づいて、サービングセルの予め設定された物理周波数点が対応する周波数帯根拠のＥＡＲＦＣＮを対象周波数帯のＥＡＲＦＣＮに修正し、前記対象周波数帯が対応するセカンダリキャリアに対してセカンダリキャリア付加操作を行い、再配置完成メッセージを前記基地局に送信することであってもよい。
【００５８】
前記ユーザ機器が、前記対象周波数帯における帯域間キャリアアグリゲーションをサポートすれば、これに応じて、ステップＳ２５は、
帯域間キャリアアグリゲーションがサポートされる、前記予め設定された物理周波数点を含む対象周波数帯である第１の対象周波数帯と、前記予め設定された物理周波数点を含まない対象周波数帯である第２の対象周波数帯と、を報告することと、
前記再配置メッセージに基づいて、サービングセルの予め設定された物理周波数点が対応する周波数帯根拠のＥＡＲＦＣＮを、第１の対象周波数帯のＥＡＲＦＣＮに修正し、前記第１の対象周波数帯が対応するセカンダリキャリアに対してセカンダリキャリア付加操作を行い、再配置完成メッセージを前記基地局に送信することと、を含んでもよい。
【００５９】
前記再配置メッセージに基づく処理を行うことは、さらに、
対象周波数帯におけるセカンダリキャリア異周波数測定を行い、測定結果を前記基地局に送信すること、を含んでもよい。
【００６０】
具体的には、例を挙げることで、本発明の実施例に係わるマルチバンド能力に基づくキャリアアグリゲーション配置方法を説明する。
【００６１】
基地局側において
基地局側でのサービングセルの周波数帯配置情報は、サービングセルでは、主周波数帯ｂａｎｄ  ３８、補助周波数帯ｂａｎｄ  ４１のように、マルチバンド指示配置がサポートされることであり、且つユーザ機器でサポートされる周波数帯がｂａｎｄ  ３８及びｂａｎｄ  ４１であるとすれば、判断により、周波数帯根拠がｂａｎｄ  ３８であることが分かると、ユーザ機器がｂａｎｄ  ３８にてサービングセルにアクセスする。また、ユーザ機器でサポートされるキャリアアグリゲーションの組み合わせが、ｂａｎｄ  ４１の帯域内不連続キャリアアグリゲーションであり、且つサービングセルにｂａｎｄ  ４１の異周波数隣接セルが存在するとすれば、ユーザ機器が、主周波数帯ｂａｎｄ  ３８のキャリアアグリゲーションを行うことができず、補助周波数帯ｂａｎｄ  ４１の帯域内不連続キャリアアグリゲーションのみを行うことができることから、ユーザ機器ではｂａｎｄ  ４１の帯域内不連続キャリアアグリゲーションがサポートされるという旨の、ユーザ機器の、実際にアクセスしていない周波数帯におけるキャリアアグリゲーション能力を取得することができ、さらに、ユーザ機器に配置されるべきセカンダリキャリアの対象周波数帯がｂａｎｄ  ４１であることが分かる。
【００６２】
ユーザ機器がｂａｎｄ  ４１内において帯域内不連続キャリアアグリゲーションをサポートするため、基地局側は、隣接セルがｂａｎｄ  ４１であるセカンダリキャリア異周波数測定を配信する必要があり、そして、ユーザ機器から報告された測定結果により、ｂａｎｄ  ４１の異周波数隣接セルをセカンダリサービングセルとして付加するか、直接、ｂａｎｄ  ４１の異周波数隣接セルをセカンダリサービングセルとして付加する一方、サービングセルの物理周波数点２６００ＭＨｚが対応するｂａｎｄ  ３８のＥＡＲＦＣＮの値である３８０５０を、ｂａｎｄ  ４１のＥＡＲＦＣＮの値である４０６９０に修正する。
【００６３】
ユーザ機器側において
周波数帯根拠であるｂａｎｄ  ３８に基づいて、サービングセルにアクセスし、
基地局側から配信された再配置メッセージに基づいて、物理周波数点２６００ＭＨｚが対応するｂａｎｄ  ３８のＥＡＲＦＣＮの値である３８０５０を、ｂａｎｄ  ４１のＥＡＲＦＣＮの値である４０６９０に修正し、
基地局側から配信された再配置メッセージにおける、ｂａｎｄ  ４１を含むセカンダリキャリア異周波数測定に基づいて、対応する周波数点での測定を行い、測定結果を基地局側に報告し、
基地局側から配信された再配置メッセージにおける、ｂａｎｄ  ４１を含むセカンダリキャリアリソース配置に基づいて、セカンダリキャリア付加操作を行い、再配置完成メッセージを基地局側に送信する。
【００６４】
このように、本発明の実施例に係わるマルチバンド能力に基づくキャリアアグリゲーション配置方法は、基地局側に配置されるマルチバンド情報やユーザ機器のキャリアアグリゲーション能力情報を総合的に勘案して、ユーザ機器に対して現在アクセスしていない周波数帯におけるキャリアアグリゲーションを付加する。これは、基地局側においてセルの周波数帯又は隣接セルの配置が制限され、或いは、ユーザ機器でサポートされるキャリアアグリゲーション能力が制限されることに起因して、ユーザ機器のキャリアアグリゲーション機能が影響されてしまうことを効果的に回避し、キャリアアグリゲーション機能の使用範囲を大幅に拡大し、システムのスペクトル効率を効果的に向上させ、ユーザサービスのサービス体験を強化する。
【００６５】
本発明の実施例において、マルチバンド能力に基づくキャリアアグリゲーション配置装置がさらに提供され、図３に示されるように、この装置３００は、
ユーザ機器が周波数帯根拠に基づいて、少なくとも２つの周波数帯が備えられ、且つ前記少なくとも２つの周波数帯同士は重なり合った部分があるサービングセルにアクセスするように、前記ユーザ機器が前記サービングセルにアクセスする前記周波数帯根拠を決定する第１の決定モジュール３０１と、
ユーザ機器が前記サービングセルにアクセスする周波数帯根拠の予め設定された物理周波数点での異周波数隣接セルの配置情報、及び前記ユーザ機器でサポートされるキャリアアグリゲーションの組み合わせを取得する取得モジュール３０３と、
前記周波数帯根拠の予め設定された物理周波数点での異周波数隣接セルの配置情報、及び前記ユーザ機器でサポートされるキャリアアグリゲーションの組み合わせに基づいて、前記ユーザ機器に配置されるべきセカンダリキャリアの対象周波数帯を決定する第２の決定モジュール３０５と、
前記ユーザ機器の前記対象周波数帯におけるキャリアアグリゲーション能力に基づいて、対応する再配置メッセージを前記ユーザ機器へ送信し、前記対象周波数帯の前記予め設定された物理周波数点での異周波数隣接セルを、セカンダリサービングセルとする第１の処理モジュール３０７と、を備える。
【００６６】
前記ユーザ機器の前記対象周波数帯におけるキャリアアグリゲーション能力は、前記ユーザ機器が、前記対象周波数帯における帯域内不連続キャリアアグリゲーション、又は帯域内連続キャリアアグリゲーション、又は帯域間キャリアアグリゲーションをサポートすることを含んでもよい。
【００６７】
図４に示されるように、前記ユーザ機器が、前記対象周波数帯における帯域内不連続キャリアアグリゲーション又は帯域内連続キャリアアグリゲーションをサポートすれば、前記第１の処理モジュール３０７は、
前記ユーザ機器の前記対象周波数帯におけるキャリアアグリゲーション能力に基づいて、前記ユーザ機器に配置されるべきセカンダリキャリアの対象周波数帯と、前記サービングセルの予め設定された物理周波数点が対応する周波数帯根拠のＥＡＲＦＣＮを対象周波数帯のＥＡＲＦＣＮに修正する情報と、を含む再配置メッセージを前記ユーザ機器へ送信し、前記対象周波数帯の前記予め設定された物理周波数点での異周波数隣接セルを、セカンダリサービングセルとする第１の処理ユニット３０７１、を含んでもよい。
【００６８】
図４に示されるように、前記ユーザ機器が、前記対象周波数帯における帯域間キャリアアグリゲーションをサポートすれば、前記第１の処理ユニット３０７は、
ユーザ機器で帯域間キャリアアグリゲーションがサポートされる、前記予め設定された物理周波数点を含む対象周波数帯である第１の対象周波数帯と、前記予め設定された物理周波数点を含まない対象周波数帯である第２の対象周波数帯と、を取得し、
前記ユーザ機器に配置されるべきセカンダリキャリアの第１の対象周波数帯と、前記サービングセルの予め設定された物理周波数点が対応する周波数帯根拠のＥＡＲＦＣＮを第１の対象周波数帯のＥＡＲＦＣＮに修正する情報と、を含む再配置メッセージを前記ユーザ機器へ送信し、前記第２の対象周波数帯の前記予め設定された物理周波数点での異周波数隣接セルを、セカンダリサービングセルとする第２の処理ユニット３０７２、を含んでもよい。
【００６９】
前記再配置メッセージには、さらに、対象周波数帯におけるセカンダリキャリア異周波数測定を行う情報が含まれていれば、前記第１の処理ユニット３０７１は、具体的には、
前記ユーザ機器が前記再配置メッセージに基づいて対象周波数帯におけるセカンダリキャリア異周波数測定を行った測定結果に基づいて、前記対象周波数帯の前記予め設定された物理周波数点での異周波数隣接セルを、セカンダリサービングセルとするようにしてもよい。前記再配置メッセージには、さらに、対象周波数帯におけるセカンダリキャリア異周波数測定を行う情報が含まれていれば、前記第２の処理ユニット３０７２は、具体的には、
前記ユーザ機器が前記再配置メッセージに基づいて対象周波数帯におけるセカンダリキャリア異周波数測定を行った測定結果に基づいて、前記第２の対象周波数帯の前記予め設定された物理周波数点での異周波数隣接セルを、セカンダリサービングセルとするようにしてもよい。
【００７０】
図５に示されるように、前記第１の決定モジュール３０１は、
サービングセルの周波数帯配置情報及び前記ユーザ機器でサポートされる周波数帯情報を取得する取得ユニット３０１１と、
前記サービングセルの周波数帯配置情報及び前記ユーザ機器でサポートされる周波数帯情報に基づいて、前記ユーザ機器が前記サービングセルにアクセスする周波数帯根拠を決定する第１の決定ユニット３０１２と、を含んでもよい。
【００７１】
図６に示されるように、前記第２の決定モジュール３０５は、
前記ユーザ機器でサポートされるキャリアアグリゲーションの組み合わせ、及び前記周波数帯根拠の予め設定された物理周波数点での異周波数隣接セルの配置情報に基づいて、前記ユーザ機器の、実際にアクセスしていない周波数帯におけるキャリアアグリゲーション能力を決定する第２の決定ユニット３０５１と、
前記ユーザ機器の、実際にアクセスしていない周波数帯におけるキャリアアグリゲーション能力に基づいて、前記ユーザ機器に配置されるべきセカンダリキャリアの対象周波数帯を決定する第３の決定ユニット３０５２と、を含んでもよい。
【００７２】
前記実際にアクセスしていない周波数帯には、キャリアアグリゲーションがサポートされる周波数帯が複数含まれる場合、前記第３の決定ユニット３０５２は、具体的には、
前記実際にアクセスしていない周波数帯の優先順位を取得し、
前記実際にアクセスしていない周波数帯の優先順位、及び前記ユーザ機器の、実際にアクセスしていない周波数帯におけるキャリアアグリゲーション能力に基づいて、前記ユーザ機器に配置されるべきセカンダリキャリアの対象周波数帯を決定するようにしてもよい。
【００７３】
前記第１の処理モジュール３０７は、具体的には、再配置メッセージを無線リソース制御シグナリングにより前記ユーザ機器へ送信するようにしてもよい。
【００７４】
本発明の実施例において、マルチバンド能力に基づくキャリアアグリゲーション配置装置がさらに提供され、この装置７００は、
基地局で決定した周波数帯根拠に基づいてサービングセルにアクセスするアクセスモジュール７０１と、
前記基地局が前記ユーザ機器の前記対象周波数帯におけるキャリアアグリゲーション能力に基づいて送信した、対応する再配置メッセージを受信する受信モジュール７０３と、
前記ユーザ機器がキャリアアグリゲーションを行うように、前記再配置メッセージに基づく処理を行う第２の処理モジュール７０５と、を備える。
【００７５】
前記ユーザ機器の前記対象周波数帯におけるキャリアアグリゲーション能力は、前記ユーザ機器が、前記対象周波数帯における帯域内不連続キャリアアグリゲーション、又は帯域内連続キャリアアグリゲーション、又は帯域間キャリアアグリゲーションをサポートすることを含んでもよい。
【００７６】
前記ユーザ機器が、前記対象周波数帯における帯域内不連続キャリアアグリゲーション又は帯域内連続キャリアアグリゲーションをサポートすれば、図８に示されるように、前記第２の処理モジュール７０５は、
前記再配置メッセージに基づいて、サービングセルの予め設定された物理周波数点が対応する周波数帯根拠のＥＡＲＦＣＮを対象周波数帯のＥＡＲＦＣＮに修正し、前記対象周波数帯が対応するセカンダリキャリアに対してセカンダリキャリア付加操作を行い、再配置完成メッセージを前記基地局に送信する第１の修正ユニット７０５１、を含んでもよい。
【００７７】
前記ユーザ機器が、前記対象周波数帯における帯域間キャリアアグリゲーションをサポートすれば、図８に示されるように、前記第２の処理モジュール７０５は、
帯域間キャリアアグリゲーションがサポートされる、前記予め設定された物理周波数点を含む対象周波数帯である第１の対象周波数帯と、前記予め設定された物理周波数点を含まない対象周波数帯である第２の対象周波数帯と、を報告し、
前記再配置メッセージに基づいて、サービングセルの予め設定された物理周波数点が対応する周波数帯根拠のＥＡＲＦＣＮを、第１の対象周波数帯のＥＡＲＦＣＮに修正し、前記第１の対象周波数帯が対応するセカンダリキャリアに対してセカンダリキャリア付加操作を行い、再配置完成メッセージを前記基地局に送信する第２の修正ユニット７０５２、を含んでもよい。
【００７８】
図８に示されるように、前記第２の処理モジュール７０５は、
対象周波数帯におけるセカンダリキャリア異周波数測定を行い、測定結果を前記基地局に送信する測定ユニット７０５３、をさらに含んでもよい。
【００７９】
本発明の実施例において、コンピュータ読み取り可能な記憶媒体がさらに提供され、コンピュータ読み取り可能な記憶媒体には、プロセッサにより実行されると、上述した実施例に説明されるマルチバンド能力に基づくキャリアアグリゲーション配置方法を実行するためのコンピュータ実行可能な命令が記憶されている。
【００８０】
本文は、本発明の実施例による方法、装置及びコンピュータプログラム製品のフローチャート及び／又はブロック図を参照しながら説明したものである。フローチャート及び／又はブロック図におけるそれぞれのフロー及び／又はブロック、及びフローチャート及び／又はブロック図におけるフロー及び／又はブロックの組み合わせを、コンピュータプログラム命令により実現することができるのは、理解されるべきである。これらのコンピュータプログラム命令を、汎用コンピュータ、専用コンピュータ、嵌め込み式処理装置又は他のプログラマブルデータ処理デバイスのプロセッサに提供して機器を製造することができ、このようにして、コンピュータ又は他のプログラマブルデータ処理デバイスのプロセッサによって実行される命令から、フローチャートの１つ又は複数のフロー及び／又はブロック図の１つ又は複数のブロックにおける指定した機能を実現するための装置を製造する。
【００８１】
これらのコンピュータプログラム命令は、また、コンピュータ又は他のプログラマブルデータ処理デバイスを特定した方式で動作させることができるコンピュータ読み取り可能なメモリに記憶されることもでき、このようにして、このコンピュータ読み取り可能なメモリに記憶された命令から、フローチャートの１つ又は複数のフロー及び／又はブロック図の１つ又は複数のブロックにおける指定した機能を実現する命令装置を含む製造製品を製造する。
【００８２】
これらのコンピュータプログラム命令は、さらに、コンピュータ又は他のプログラマブルデータ処理デバイスに搭載されることもでき、このようにして、コンピュータ又は他のプログラマブルデータ処理デバイスで一連の操作ステップを実行してコンピュータで実現される処理を発生させることにより、コンピュータ又は他のプログラマブルデータ処理デバイスで実行される命令から、フローチャートの１つ又は複数のフロー及び／又はブロック図の１つ又は複数のブロックにおける指定した機能を実現するステップを提供する。
【００８３】
以上は、本発明のいくつかの実施形態であり、当業者にとって、本願に記載の原理から逸脱しない限り、若干の改良及び変形も可能であり、これらの改良や変形も本願の保護範囲内のものであることは、指摘されるべきである。
【産業上の利用可能性】
【００８４】
本発明の実施例に係わるマルチバンド能力に基づくキャリアアグリゲーション配置方法は、基地局側に配置されるマルチバンド情報やＵＥのキャリアアグリゲーション能力情報を総合的に勘案して、ＵＥに配置されるべきセカンダリキャリアの対象周波数帯を決定し、さらに、対象周波数帯におけるキャリアアグリゲーションを実現し、これにより、基地局側においてセルの周波数帯又は隣接セルの配置が制限され、或いは、ＵＥでサポートされるキャリアアグリゲーション能力が制限されることに起因して、ＵＥのキャリアアグリゲーション機能が影響されてしまうことを効果的に回避し、キャリアアグリゲーション機能の使用範囲を大幅に拡大し、システムのスペクトル効率を効果的に向上させ、ユーザデータサービススループットを高め、ユーザサービスのサービス体験を強化する。
【図１】
0006648153.tif 000002
【図２】
0006648153.tif 000003
【図３】
0006648153.tif 000004
【図４】
0006648153.tif 000005
【図５】
0006648153.tif 000006
【図６】
0006648153.tif 000007
【図７】
0006648153.tif 000008
【図８】
0006648153.tif 000009